(57)【要約】【課題】安全性を向上し得る水加熱容器を提供する。【解決手段】蓋体２００を容器本体１００の開口部を閉じる閉じ位置に保持するフック部材８が、蓋体２００を閉じ位置に保持するための保持位置と蓋体２００の保持を開放するための開放位置とに移動自在な状態で、蓋体２００に設けられ、弁体を上下動させて弁機構を開き状態と閉じ状態とに切り換える弁操作具９が、弁体を開き状態とする開き操作位置と弁体を閉じ状態とする閉じ操作位置との間で移動自在に、蓋体２００に設けられた水加熱容器であって、フック部材８及び弁操作具９に、弁操作具９が閉じ操作位置でフック部材８の保持位置から開放位置への移動を許容し、且つ、弁操作具９が開き操作位置でフック部材８の保持位置から開放位置への移動を阻止する干渉部８ｉ，９ｉが設けられている。【選択図】図１０
2011235033.tif 000002
【特許請求の範囲】
【請求項１】
上部が開口し、内部に内容器を有する容器本体と、
その容器本体の開口部を開閉自在な蓋体とを備え、
弁体の上下動により注ぎ口からの前記内容器内の湯水の流出を許容する開き状態と阻止する閉じ状態とに切り換え自在な弁機構が、前記蓋体に設けられ、
前記蓋体を前記容器本体の開口部を閉じる閉じ位置に保持するフック部材が、前記蓋体を前記閉じ位置に保持するための保持位置と前記蓋体の保持を開放するための開放位置とに移動自在な状態で、前記蓋体に設けられ、
前記弁体を上下動させて前記弁機構を前記開き状態と前記閉じ状態とに切り換える弁操作具が、前記弁体を前記開き状態とする開き操作位置と前記弁体を前記閉じ状態とする閉じ操作位置との間で移動自在に、前記蓋体に設けられた水加熱容器であって、
前記フック部材及び前記弁操作具に、前記弁操作具が前記閉じ操作位置で前記フック部材の前記保持位置から前記開放位置への移動を許容し、且つ、前記弁操作具が前記開き操作位置で前記フック部材の前記保持位置から前記開放位置への移動を阻止する干渉部が設けられている水加熱容器。
【請求項２】
上部が開口し、内部に内容器を有する容器本体と、
その容器本体の開口部を開閉自在な蓋体とを備え、
弁体の上下動により注ぎ口からの前記内容器内の湯水の流出を許容する開き状態と阻止する閉じ状態とに切り換え自在な弁機構が、前記蓋体に設けられ、
前記蓋体を前記容器本体の開口部を閉じる閉じ位置に保持するフック部材が、前記蓋体を前記閉じ位置に保持するための保持位置と前記蓋体の保持を開放するための開放位置とに移動自在な状態で、前記蓋体に設けられ、
前記弁体を上下動させて前記弁機構を前記開き状態と前記閉じ状態とに切り換える弁操作具が、前記弁体を前記開き状態とする開き操作位置と前記弁体を前記閉じ状態とする閉じ操作位置との間で移動自在に、前記蓋体に設けられた水加熱容器であって、
前記フック部材及び前記弁操作具に、前記フック部材が前記保持位置で前記弁操作具の前記閉じ操作位置から前記開き操作位置への移動を許容し、且つ、前記フック部材が前記開放位置で前記弁操作具の前記閉じ操作位置から前記開き操作位置への移動を阻止する干渉部が設けられている水加熱容器。
【請求項３】
前記弁操作具が、前記蓋体を前記容器本体の開口部に位置させたときに前記容器本体の径方向に沿う長手方向の一端が作用点として前記弁体の上方に位置され且つ前記作用点とその作用点とは長手方向で反対側の端部との間を支点として横方向の軸心周りに揺動自在に設けられた作用点側てこ部材を備えて構成され、
その作用点側てこ部材を前記作用点とは反対側の端部である力点が上方に移動する方向に揺動させることにより、前記弁操作具が前記閉じ操作位置から前記開き操作位置へ移動されるように構成され、
前記フック部材が、前記作用点側てこ部材に近い側を前記開放位置とし且つ前記作用点側てこ部材から遠い側を前記保持位置とする状態で、前記作用点側てこ部材における前記支点と力点の並び方向と交差し且つ前記蓋体を前記容器本体の開口部に位置させたときに前記容器本体の径方向に移動自在に設けられ、
前記作用点側てこ部材における前記支点と前記力点との間の支点力点間部分が、前記弁操作具側の干渉部とされ、
前記フック部材側の干渉部として、そのフック部材に、前記支点力点間部分に向かって突出する突出部が備えられ、
前記フック部材が前記保持位置に位置するときは、前記突出部が前記開き操作位置に位置する前記作用点側てこ部材の支点力点間部分の横側部に近接する状態となり、前記フック部材が前記開放位置に位置するときは、前記突出部が前記閉じ操作位置に位置する前記作用点側てこ部材の支点力点間部分の上方に近接して被さる状態となる形態で、前記フック部材の突出部と前記作用点側てこ部材の支点力点間部分とが干渉するように構成されている請求項１又は２に記載の水加熱容器。
【請求項４】
前記弁操作具が、前記作用点側てこ部材と、その作用点側てこ部材の力点に相当する端部に連結され且つその作用点側てこ部材の力点に連結された端部とその端部とは長手方向で反対側の端部との間を支点として横方向の軸心周りに揺動自在な力点側てこ部材とを備えて構成され、
前記力点側てこ部材が、前記作用点側てこ部材に連結される端部とは反対側の端部を力点として上下方向に揺動されると、その上下方向の揺動に連動して、前記作用点側てこ部材が上下方向に揺動するように構成されている請求項３に記載の水加熱容器。
【請求項５】
前記フック部材の色が、前記蓋体の外周部を形成する蓋カバーの色と異なるように構成されている請求項１〜４のいずれか１項に記載の水加熱容器。
【発明の詳細な説明】
【技術分野】
【０００１】
本発明は、上部が開口し、内部に内容器を有する容器本体と、その容器本体の開口部を開閉自在な蓋体とを備え、弁体の上下動により注ぎ口からの前記内容器内の湯水の流出を許容する開き状態と阻止する閉じ状態とに切り換え自在な弁機構が、前記蓋体に設けられ、前記蓋体を前記容器本体の開口部を閉じる閉じ位置に保持するフック部材が、前記蓋体を前記閉じ位置に保持するための保持位置と前記蓋体の保持を開放するための開放位置とに移動自在な状態で、前記蓋体に設けられ、前記弁体を上下動させて前記弁機構を前記開き状態と前記閉じ状態とに切り換える弁操作具が、前記弁体を前記開き状態とする開き操作位置と前記弁体を前記閉じ状態とする閉じ操作位置との間で移動自在に、前記蓋体に設けられた水加熱容器に関する。
【背景技術】
【０００２】
かかる水加熱容器の具体例としては、例えば、電気ケトル、電気ポット等が挙げられる。
そして、蓋体が容器本体の開口部に装着された状態で、フック部材が保持位置に移動されると、蓋体が容器本体の開口部を閉じる閉じ位置に保持され、そのように蓋体が容器本体に閉じ位置で保持される状態で、フック部材が開放位置に移動されると、蓋体の閉じ位置での保持が開放されて、蓋体を開くことが可能な構成となっている。
又、弁操作具が開き操作位置に揺動されると、弁機構が開き状態に切り換えられて、注ぎ口から内容器内の湯水を注ぐことが可能となり、弁操作具が閉じ操作位置に揺動されると、弁機構が閉じ状態に切り換えられて、注ぎ口からの内容器内の湯水の流出が阻止される構成となっている（例えば、特許文献１参照。）。
【先行技術文献】
【特許文献】
【０００３】
【特許文献１】特開２００８−２１２３１６号公報
【発明の概要】
【発明が解決しようとする課題】
【０００４】
しかしながら、従来の水加熱容器では、弁操作具が開き操作位置にあるときでも、フック部材の開放位置への移動が可能であるので、例えば、注ぎ口から湯水を注ぐべく、水加熱容器を持ち上げて弁操作具を開き操作位置に位置させているときに、フック部材を開放位置へ移動させるといった好ましくない操作が行われる虞がある。
あるいは、フック部材が開放位置に位置するときでも、弁操作具を開き操作位置へ揺動させることが可能であるので、例えば、蓋体が閉じ位置に保持されているように見えるが、実際は閉じ位置に適切に保持されていない状態であって、フック部材が保持位置に位置されていないときに、注ぎ口から湯水を注ぐべく、水加熱容器を持ち上げて弁操作具を開き操作位置に揺動させるといった好ましくない操作が行われる虞がある。
上述のような操作が行われると、注ぎ口から湯水を注ぐ際に蓋体が脱落する虞があり、従来の水加熱容器では、安全性を向上する上で改善の余地があった。
【０００５】
本発明は、かかる実情に鑑みてなされたものであり、その目的は、安全性を向上し得る水加熱容器を提供することにある。
【課題を解決するための手段】
【０００６】
上記目的を達成するための本発明に係る水加熱容器は、上部が開口し、内部に内容器を有する容器本体と、その容器本体の開口部を開閉自在な蓋体とを備え、弁体の上下動により注ぎ口からの前記内容器内の湯水の流出を許容する開き状態と阻止する閉じ状態とに切り換え自在な弁機構が、前記蓋体に設けられ、前記蓋体を前記容器本体の開口部を閉じる閉じ位置に保持するフック部材が、前記蓋体を前記閉じ位置に保持するための保持位置と前記蓋体の保持を開放するための開放位置とに移動自在な状態で、前記蓋体に設けられ、前記弁体を上下動させて前記弁機構を前記開き状態と前記閉じ状態とに切り換える弁操作具が、前記弁体を前記開き状態とする開き操作位置と前記弁体を前記閉じ状態とする閉じ操作位置との間で移動自在に、前記蓋体に設けられた水加熱容器であって、
その特徴構成は、前記フック部材及び前記弁操作具に、前記弁操作具が前記閉じ操作位置で前記フック部材の前記保持位置から前記開放位置への移動を許容し、且つ、前記弁操作具が前記開き操作位置で前記フック部材の前記保持位置から前記開放位置への移動を阻止する干渉部が設けられている点にある。
【０００７】
上記特徴構成によれば、弁操作具が閉じ操作位置にあるときは、フック部材の保持位置から開放位置への移動を許容し、弁操作具が開き操作位置にあるときは、フック部材の保持位置から開放位置への移動を阻止するように、フック部材の干渉部と弁操作具の干渉部とが互いに干渉する。
つまり、弁操作具が閉じ操作位置にあるときは、フック部材を保持位置から開放位置へ移動させることができるので、蓋体が閉じ位置に保持される状態を開放して、蓋体を取り外すことができる。一方、弁操作具が開き操作位置にあるときは、フック部材を開放位置へ移動させることができないので、例えば、注ぎ口から湯水を注ぐべく、水加熱容器を持ち上げて弁操作具を開き操作位置に位置させているときに、フック部材を開放位置へ移動させようとしても、フック部材を移動させることができない。この場合、弁操作具を開き操作位置に位置させているときには、蓋体が閉じ位置に保持される状態を開放することができない。
従って、注ぎ口から湯水を注ぐ際に蓋体が脱落するのを防止することができるようになり、安全性を向上し得る水加熱容器を提供することができるようになった。
【０００８】
上記目的を達成するための本発明に係る水加熱容器は、上部が開口し、内部に内容器を有する容器本体と、その容器本体の開口部を開閉自在な蓋体とを備え、弁体の上下動により注ぎ口からの前記内容器内の湯水の流出を許容する開き状態と阻止する閉じ状態とに切り換え自在な弁機構が、前記蓋体に設けられ、前記蓋体を前記容器本体の開口部を閉じる閉じ位置に保持するフック部材が、前記蓋体を前記閉じ位置に保持するための保持位置と前記蓋体の保持を開放するための開放位置とに移動自在な状態で、前記蓋体に設けられ、前記弁体を上下動させて前記弁機構を前記開き状態と前記閉じ状態とに切り換える弁操作具が、前記弁体を前記開き状態とする開き操作位置と前記弁体を前記閉じ状態とする閉じ操作位置との間で移動自在に、前記蓋体に設けられた水加熱容器であって、
その特徴構成は、前記フック部材及び前記弁操作具に、前記フック部材が前記保持位置で前記弁操作具の前記閉じ操作位置から前記開き操作位置への移動を許容し、且つ、前記フック部材が前記開放位置で前記弁操作具の前記閉じ操作位置から前記開き操作位置への移動を阻止する干渉部が設けられている点にある。
【０００９】
上記特徴構成によれば、フック部材が保持位置にあるときは、弁操作具の閉じ操作位置から開き操作位置への移動を許容し、フック部材が開放位置にあるときは、弁操作具の閉じ操作位置から開き操作位置への移動を阻止するように、フック部材の干渉部と弁操作具の干渉部とが互いに干渉する。
つまり、フック部材が保持位置にあるときは、弁操作具を閉じ操作位置から開き操作位置へ移動させることができるので、弁機構を開き状態に切り換えて注ぎ口から湯水を注ぐことができる。一方、フック部材が開放位置にあるときは、弁操作具を開き操作位置へ移動させようとしても移動させることができないので、例えば、蓋体が閉じ位置に保持されているように見えるが、実際は閉じ位置に適切に保持されていない状態であって、フック部材が保持位置に位置されていないときには、水加熱容器を持ち上げて弁操作具を開き操作位置に移動させようとしても、弁操作具を移動させることができない。
従って、注ぎ口から湯水を注ぐ際に蓋体が脱落するのを防止することができるようになり、安全性を向上し得る水加熱容器を提供することができるようになった。
【００１０】
本発明に係る水加熱容器の更なる特徴構成は、前記弁操作具が、前記蓋体を前記容器本体の開口部に位置させたときに前記容器本体の径方向に沿う長手方向の一端が作用点として前記弁体の上方に位置され且つ前記作用点とその作用点とは長手方向で反対側の端部との間を支点として横方向の軸心周りに揺動自在に設けられた作用点側てこ部材を備えて構成され、
その作用点側てこ部材を前記作用点とは反対側の端部である力点が上方に移動する方向に揺動させることにより、前記弁操作具が前記閉じ操作位置から前記開き操作位置へ移動されるように構成され、
前記フック部材が、前記作用点側てこ部材に近い側を前記開放位置とし且つ前記作用点側てこ部材から遠い側を前記保持位置とする状態で、前記作用点側てこ部材における前記支点と力点の並び方向と交差し且つ前記蓋体を前記容器本体の開口部に位置させたときに前記容器本体の径方向に移動自在に設けられ、
前記作用点側てこ部材における前記支点と前記力点との間の支点力点間部分が、前記弁操作具側の干渉部とされ、
前記フック部材側の干渉部として、そのフック部材に、前記支点力点間部分に向かって突出する突出部が備えられ、
前記フック部材が前記保持位置に位置するときは、前記突出部が前記開き操作位置に位置する前記作用点側てこ部材の支点力点間部分の横側部に近接する状態となり、前記フック部材が前記開放位置に位置するときは、前記突出部が前記閉じ操作位置に位置する前記作用点側てこ部材の支点力点間部分の上方に近接して被さる状態となる形態で、前記フック部材の突出部と前記作用点側てこ部材の支点力点間部分とが干渉するように構成されている点にある。
【００１１】
上記特徴構成によれば、弁操作具を構成する作用点側てこ部材が、その作用点とは反対側の端部である力点が上方に移動する方向に揺動されることにより、弁操作具が閉じ操作位置から開き操作位置へ移動されて、弁機構が開き状態に切り換えられる。
又、フック部材は、作用点側てこ部材における支点と力点の並び方向と交差し且つ蓋体を容器本体の開口部に位置させたときに容器本体の径方向に移動自在であり、そして、作用点側てこ部材に近い側に移動されると開放位置に移動され、作用点側てこ部材から遠い側に移動されると保持位置に移動されることになる。
そして、フック部材が保持位置にあるときは、フック部材の突出部が開き操作位置に位置する作用点側てこ部材の支点力点間部分の横側部に近接する状態となり、且つ、フック部材が開放位置にあるときは、フック部材の突出部が閉じ操作位置に位置する作用点側てこ部材の支点力点間部分の上方に近接して被さる状態となる形態で、フック部材の突出部と作用点側てこ部材の支点力点間部分とが干渉する。
従って、フック部材が保持位置にあるときは、作用点側てこ部材を閉じ操作位置から開き操作位置へ向けて揺動させる（支点力点間部分を上方に移動させる）ことができるので、弁機構を開き状態に切り換えることができる。
一方、フック部材が開放位置にあるときは、フック部材の突出部が閉じ操作位置に位置する作用点側てこ部材の支点力点間部分の上方に近接して被さっていて、作用点側てこ部材を閉じ操作位置から開き操作位置へ向けて揺動させようとしても（支点力点間部分を上方に移動させようとしても）、作用点側てこ部材の支点力点間部分がフック部材の突出部に当たるので、作用点側てこ部材を揺動させることができず、弁機構を開き状態に切り換えることができない。
【００１２】
又、作用点側てこ部材が閉じ操作位置にあるときは、保持位置のフック部材に対して、作用点側てこ部材の支点力点間部分に近付く方向に力を加えると、フック部材の突出部が作用点側てこ部材の支点力点間部分の上方に被さる形態で、フック部材を作用点側てこ部材の支点力点間部分に向けて開放位置に移動させることができるので、蓋体を保持位置に保持する状態から開放することができ、蓋体を開くことができる。
一方、作用点側てこ部材が開き操作位置にあるときは、保持位置のフック部材に対して、作用点側てこ部材の支点力点間部分に近付く方向に力を加えても、フック部材の突出部が作用点側てこ部材の支点力点間部分の横側部に当たるので、フック部材を作用点側てこ部材の支点力点間部分に向けて移動させることができず、蓋体を保持位置に保持する状態から開放することができない。
要するに、弁操作具が開き操作位置にあるときはフック部材を開放位置へ移動することができず、又、フック部材が開放位置にあるときは弁操作具を開き操作位置へ移動することができないので、注ぎ口から湯水を注ぐ際に蓋体が脱落するのを確実に防止することができるようになり、安全性をより一層向上することができるようになった。
【００１３】
本発明に係る水加熱容器の更なる特徴構成は、前記弁操作具が、前記作用点側てこ部材と、その作用点側てこ部材の力点に相当する端部に連結され且つその作用点側てこ部材の力点に連結された端部とその端部とは長手方向で反対側の端部との間を支点として横方向の軸心周りに揺動自在な力点側てこ部材とを備えて構成され、
前記力点側てこ部材が、前記作用点側てこ部材に連結される端部とは反対側の端部を力点として上下方向に揺動されると、その上下方向の揺動に連動して、前記作用点側てこ部材が上下方向に揺動するように構成されている点にある。
【００１４】
上記特徴構成によれば、力点側てこ部材における作用点側てこ部材に連結される側とは反対側の端部である力点を下方側に向けて移動操作して、力点側てこ部材を揺動させると、その揺動に連動して作用点側てこ部材がその力点側てこ部材に連結される端部である力点が上方に移動するように揺動して、弁操作具が閉じ操作位置から開き操作位置へ移動することになり、弁機構が開き状態に切り換えられる。
【００１５】
ところで、長手方向の中間部を作用点として弁体の上部に当接させ、且つ、長手方向の一端を横方向の軸心周りで揺動自在な支点として設けられた１本の操作レバーにて、弁操作具を構成することができる。
この場合は、操作レバーにおける支点側とは反対側の端部を力点として押し下げることにより、弁体を下方に移動させて弁機構を開き状態に切り換えることになる。
しかしながら、この場合は、操作レバーの長さが、本特徴構成による力点側てこ部材や作用点側てこ部材の長さに比べてかなり長くなるので、支点と力点との距離が長くなり、そのことによって、作用点と力点との距離も長くなる。そこで、弁機構を開き状態に切り換えるべく、操作レバーにより、弁体を閉じ状態から開き状態に切り換えるために必要な所定量下側に移動させるには、力点をかなり大きい量（即ち、弁体の移動量よりもかなり大きい量）押し下げる必要があり、その移動操作量が大きいので、弁機構を開き状態に切り換えるための操作性が劣る。
これに対して、本特徴構成であれは、力点側てこ部材や作用点側てこ部材の長さを上述の如き操作レバーの長さに比べてかなり短くすることができる。
このことにより、弁機構を開き状態に切り換えるべく作用点側てこ部材の作用点により弁体を閉じ状態から開き状態に切り換えるための作用点側てこ部材における力点の上下方向の移動量を小さくすることができるので、その作用点側てこ部材の力点に連結された力点側てこ部材の上下方向の揺動操作量を小さくすることができる。
従って、弁機構を開き状態に切り換えるための操作性を向上することができるようになった。
【００１６】
本発明に係る水加熱容器の更なる特徴構成は、前記フック部材の色が、前記蓋体の外周部を形成する蓋カバーの色と異なるように構成されている点にある。
【００１７】
上記特徴構成によれば、フック部材の色が蓋体の外周部を形成する蓋カバーの色と異なるので、使用者は、フック部材が保持位置にあるか、その保持位置以外の開放位置等にあるかを容易に視認できる。つまり、使用者は、蓋体が容器本体に閉じ位置で保持されていない状態を容易に判別することができる。  
従って、蓋体が容器本体に閉じ位置で保持されていないにも拘らず水加熱容器を持ち上げて、湯水を注ぐために傾けてしまうといった好ましくない操作が行われ難いようにすることができるので、安全性を更に向上することができるようになった。
【図面の簡単な説明】
【００１８】
【図１】電気ケトルの外観を示す斜視図
【図２】ケトル本体が電源プレートから持ち上げられた状態での電気ケトルの斜視図
【図３】電気ケトルの縦断側面図
【図４】ケトル本体が電源プレートから持ち上げられた状態での電気ケトルの下部の縦断側面図
【図５】蓋体を容器本体から分離した状態でのケトル本体の斜視図
【図６】蓋カバーを省略した状態でのケトル本体の斜視図
【図７】蓋カバーを設けた状態での図６のＶＩＩ−ＶＩＩ矢視図
【図８】蓋カバーを設けた状態での図６のＶＩＩ−ＶＩＩ矢視図
【図９】蓋カバーを設けた状態での図６のＩＸ−ＩＸ矢視図
【図１０】弁操作具が開き操作位置に位置されている状態を示す蓋カバーを省略した状態でのケトル本体の斜視図
【図１１】フック部材が嵌め込み状態にある状態を説明する図
【図１２】フック部材が開放位置に移動されている状態を示す蓋カバーを省略した状態でのケトル本体の斜視図
【図１３】フック部材が開放状態にある状態を説明する図
【図１４】フック部材が半掛かり状態にある状態を説明する図
【図１５】フック部材がフリー状態にある状態を説明する図
【図１６】別実施形態に係る弁操作具及びフック部材を説明する図
【図１７】別実施形態に係る弁操作具及びフック部材を説明するケトル本体上部の分解斜視図
【図１８】別実施形態に係る弁操作具とフック部材との干渉状態を説明する図
【発明を実施するための形態】
【００１９】
以下、図面に基づいて、本発明を水加熱容器の一例としての電気ケトルに適用した場合の実施形態を説明する。
図１〜図３に示すように、電気ケトルは、電源プレートＰとその電源プレートＰに載置自在なケトル本体Ｋとを備えて構成されている。
ケトル本体Ｋの内部には、湯水を貯留する内容器１が設けられ、ケトル本体Ｋの外周部には、ケトル本体Ｋを持ち上げるための把手２が設けられ、並びに、ケトル本体Ｋの外周部の上部側には、内容器１内の湯水を注ぐ注ぎ口３が設けられている。把手２及び注ぎ口３は、ケトル本体Ｋの上部の中心に対して互いに反対側に振り分けて設けられている。
図５にも示すように、ケトル本体Ｋは、内部に内容器１を有して上部が開口した概ね有底円筒状の容器本体１００と、その容器本体１００の開口部を開閉自在な概ね円盤状の蓋体２００とを備えて構成されている。そして、蓋体２００は、容器本体１００の開口部に対して着脱自在で、その開口部に嵌めこまれた状態で容器本体１００に装着されることにより、その開口部を閉じるように構成されている。
【００２０】
図３及び図４に示すように、ケトル本体Ｋには、内容器１内の湯水を加熱する電気ヒータ４が備えられ、外部から供給される電力を電気ヒータ４に供給する受電機構５が底面の中央部に位置する状態で備えられ、並びに、図１及び図２に示すように、操作盤６が側周面の下部に位置する状態で備えられている。ちなみに、図示を省略するが、操作盤６には、電気ヒータ４への通電の開始及び停止を指令する運転スイッチ等が備えられている。
図２〜図４に示すように、電源プレートＰには、電源コード（図示省略）を通して供給される電力を外部に出力する給電機構７が上面の中央部に位置する状態で備えられている。
そして、ケトル本体Ｋを電源プレートＰに載置した給電姿勢において、受電機構５と給電機構７とが導通状態に接続されて、給電機構７から受電機構５を介して電気ヒータ４に給電されて、内容器１内の湯水が加熱されるように構成されている。
又、把手２を把持してケトル本体Ｋを持ち上げて注ぎ口３が下向きになるように傾けることにより、内容器１内の湯水を注ぎ口３から注ぐことになる。
【００２１】
図１及び図２に示すように、ケトル本体Ｋの蓋体２００には、蓋体２００を容器本体１００の開口部を閉じる閉じ位置に保持する一対のフック部材８、注ぎ口３からの内容器１内の湯水の流出を許容するか否かに切り換えるための弁操作具９、及び、内容器１で発生する蒸気を放出するための蒸気口１０等が設けられている。
【００２２】
次に、ケトル本体Ｋについて説明を加える。
図３に示すように、容器本体１００は、概ね、有底円筒状の外郭部材１１の口縁部に口縁部材１２を嵌め込むと共に、その口縁部材１２に有底円筒状の内容器１を吊り下げ支持して構成され、更に、中空状の把手２が口縁部材１２と外郭部材１１とに跨って取り付けられている。
図３及び図４に示すように、電気ヒータ４は、内容器１の底面に当接する状態で設けられている。
外郭部材１１の底部の中心部には、その底面から引っ込んだ状態で、給電機構７を嵌め込むことが可能な円状の給電機構嵌め込み用凹部１３が設けられ、その給電機構嵌め込み用凹部１３内に受電機構５が設けられている。
その受電機構５は、ピン状の中心電極５ａと、その中心電極５ａの外周部に設けられた外側電極５ｂと、その外側電極５ｂの外周部に設けられたアース用電極（図示省略）とを備えて構成されている。ちなみに、中心電極５ａと外側電極５ｂは、後述する給電機構７の中心穴７Ａと環状穴７Ｂに夫々設けられた給電用の中心電極７ａ、外側電極７ｂに接続されて、それらの電極から供給される電力を受ける受電用の電極であり、アース用電極は、後述する給電機構７のアース用電極に接続される。
【００２３】
図３、図７及び図８に示すように、口縁部材１２における把手２の上端部の取付部には、蓋体２００に設けられた蒸気検知用通路２２（詳細は後述する）を通して内容器１から導かれる蒸気を検知する蒸気検知センサ１４が設けられている。
図示を省略するが、外郭部材１１の底部と内容器１の底部との間の空間には、制御部が設けられている。この制御部は、操作盤６からの指令や蒸気検知センサ１４の検出情報に基づく電気ヒータ４への通電の制御等を行うように構成されている。
【００２４】
図３、図５、図７及び図９に示すように、蓋体２００は、蓋本体部材１５、その蓋本体部材１５の上方の蓋カバー１６、蓋本体部材１５の下方の内蓋板１７、及び、その内蓋板１７の外周部のシール材１８等を一体的に組み付けて構成されている。
容器本体１００の口縁部材１２には、注ぎ口３の下方部分を構成する溝状部１２ｍが形成され、蓋体２００の蓋本体部材１５には、注ぎ口３の上方部分を構成する庇部１５ｅが設けられている。
そして、口縁部材１２の溝状部１２ｍの上方を蓋本体部材１５の庇部１５ｅが覆う状態となる蓋体装着用の相対位置関係で、蓋体２００を容器本体１００の開口部に装着すると、口縁部材１２の溝状部１２ｍと蓋本体部材１５の庇部１５ｅにより、筒状の注ぎ口３が形成されることになる。
【００２５】
図７及び図８に示すように、内蓋板１７には複数の孔１７ｈが形成され、蓋体２００における蓋本体部材１５と内蓋板１７との間には、内蓋板１７に形成された複数の孔１７ｈを通して容器本体１００の内容器１に連通する容器連通空間１９が形成されている。
そして、蓋本体部材１５には、基端が容器連通空間１９に臨み且つ先端が注ぎ口３内に延びる注ぎ用通路２０、及び、基端が容器連通空間１９に臨み且つ先端が蓋体２００の上面部にまで延びる蒸気放出用通路２１が形成され、その蒸気放出用通路２１の先端開口部が蒸気口１０として機能する。
図１及び図５にも示すように、蒸気口１０は、蓋体２００の上面における注ぎ口３と把手２を結ぶ線上における把手２の側に偏った位置に開口されている。
又、図７及び図８に示すように、蓋本体部材１５には、蒸気放出用通路２１から分岐する蒸気検知用通路２２が形成され、図５にも示すように、その蒸気検知用通路２２は、その先端が、蓋体２００が容器本体１００に装着された状態で、蓋本体部材１５の側周部において口縁部材１２における把手２の取付部に対向する箇所に開口するように形成されている。
【００２６】
詳細な図示を省略するが、図３、図７及び図８に示すように、蒸気放出用通路２１における蒸気検知用通路２２の分岐箇所よりも上流側の部分には、電気ケトルが転倒すると蒸気放出用通路２１を閉じるように移動すべく、２個の錘体２３が設けられている。
従って、電気ケトルが転倒しても、２個の錘体２３が蒸気放出用通路２１を閉じるように移動するので、内容器１内の湯水が蒸気口１０や蒸気検知用通路２２の先端開口から漏出するのが防止される。
【００２７】
蒸気検知センサ１４は、蓋体２００が容器本体１００に装着された状態で、蓋体２００の蒸気検知用通路２２の先端開口部に臨むように、口縁部材１２に取り付けられている。
電気ヒータ４の加熱により内容器１内の水が沸騰して蒸気が発生すると、その蒸気が蒸気放出用通路２１を通して蒸気口１０に導かれてその蒸気口１０から放出されると共に、蒸気放出用通路２１及び蒸気検知用通路２２により蒸気検知センサ１４に導かれる。
そして、制御部は、蒸気検知センサ１４が蒸気を感知すると、電気ヒータ４への通電を遮断するように構成されている。
【００２８】
図５、図６及び図９に示すように、一対のフック部材８の夫々は、蓋体２００を容器本体１００の開口部に位置させたときに容器本体１００の径方向に前後進自在で且つコイルバネ２４により前進方向（蓋体２００の径方向外方側）に付勢された状態で設けられている。
又、各フック部材８の前端側の下面８ｓが、後方側ほど上面から遠ざかる形態の後ろ下がり傾斜状に構成されている。
容器本体１００の口縁部材１２には、一対のフック部材８夫々の後下がり傾斜状の下面８ｓが容器本体１００に当接した状態から、蓋体２００が下向きに移動されて閉じ位置に位置されるに伴って、一対のフック部材８夫々の前端部８Ａｆが嵌まり込んで蓋体２００を閉じ位置に保持する一対の凹部２５が設けられている。
【００２９】
図５、図６及び図９に示すように、各フック部材８は、側面視形状が概ねＬ字状である。以下、側面視形状がＬ字状のフック部材８において、横方向に沿う辺部に相当する部分を嵌め込み用辺部８Ａと称し、上下方向に沿う辺部に相当する部分を操作用辺部８Ｂと称する場合がある。
そして、一対のフック部材８の夫々は、嵌め込み用辺部８Ａの前端部８Ａｆが蓋体２００の径方向外方を向き、その嵌め込み用辺部８Ａの前端部８Ａｆが蓋本体部材１５の側周面から突出する状態で、コイルバネ２４により蓋体２００の径方向外方に向けて付勢されて蓋本体部材１５に設けられている。
各フック部材８の嵌め込み用辺部８Ａの前端部８Ａｆは、最前端８ｔよりも後退した後退部８ｒを有する形状に構成され、その後退部８ｒが、嵌め込み用辺部８Ａの幅方向両側に振り分けて一対設けられている。ここで、フック部材８の前端部８Ａｆとは、フック部材８の嵌め込み用辺部８Ａにおける径方向外方側である前端側の部分に相当し、フック部材８の最前端８ｔとは、フック部材８の前端部８Ａｆにおける最も前方の縁に相当する。
【００３０】
図５及び図９に示すように、前記の各凹部２５は、容器本体１００の口縁部材１２に、蓋体２００の径方向外方側の端部、即ち、外径側の底部が閉じられた有底状に形成され、各凹部２５の上縁部には、口縁部材１２の内方側に突出する形態で庇２６が設けられている。この庇２６の上面２６ｓは、先端側（フック部材８の後方側に相当する）ほど下方に位置する形態（以下、前下がり状と記載する場合がある）の傾斜状に形成されている。
【００３１】
図５及び図１１に示すように、口縁部材１２には、フック部材８における嵌め込み用辺部８Ａの前端部８Ａｆが凹部２５に嵌まり込んだ状態で、フック部材８の前端部８Ａｆにおける後退部８ｒのみを当接させてフック部材８の前進を阻止する前進阻止受け部３６が、各フック部材８の夫々に対応して設けられている。
この前進阻止受け部３６は、各フック部材８の一対の後退部８ｒに対応して、フック部材毎に一対ずつ設けられている。
【００３２】
図１０及び図１１に示すように、蓋体２００が容器本体１００に対して閉じ位置に保持されて、フック部材８が凹部２５に嵌め込まれた状態（以下、嵌め込み状態と称する場合がある）では、フック部材８の前端部８Ａｆの後退部８ｒが前進阻止受け部３６に受け止められ、フック部材８が蓋体２００を閉じ位置に保持するための保持位置に保持されることになる。
又、図１２及び図１３に示すように、フック部材８がその移動可能範囲における蓋体２００の中央側の端部に移動されると、フック部材８の全体が凹部２５の外部に位置する状態（以下、開放状態と称する場合がある）となり、フック部材が蓋体２００の保持を開放するための開放位置に位置することになる。
【００３３】
又、図１４に示すように、蓋体２００が容器本体１００に対して閉じ位置に保持されずに、フック部材８の最前端８ｔが庇２６の先端に引っ掛かって釣合っている状態（以下、半掛かり状態と称する場合がある）では、フック部材８は蓋体２００の径方向において嵌め込み状態のときと開放状態のときとの中間に位置することになる。
又、図１５に示すように、蓋体２００が容器本体１００に対して閉じ位置よりも上方に位置して、フック部材８が凹部２５に嵌め込まれていない状態では、フック部材８はフック操作用開口３２における蓋体２００の径方向外方側の口縁部にて受け止められて前進が阻止される状態（以下、フリー状態と称する場合がある）となっている。
そして、フック部材８がフリー状態で、蓋体２００が蓋体装着用の相対位置関係で容器本体１００の開口部に載置されると、フック部材８の最前端８ｔは、嵌め込み状態におけるよりも蓋体２００の径方向外方側に位置し、しかも、凹部２５の上方において凹部２５の底部に相当する位置よりも外方側に位置している。
【００３４】
つまり、フック部材８が、蓋体２００を閉じ位置に保持するための保持位置と蓋体２００の保持を開放するための開放位置とに移動自在な状態で、且つ、開放位置から保持位置に向かう前進方向に付勢された状態で移動自在に設けられていることになる。
【００３５】
図３、図７及び図８に示すように、蓋体２００内には、弁体２７の上下動により注ぎ口３からの内容器１内の湯水の流出を許容する開き状態と阻止する閉じ状態とに切り換え自在な弁機構Ｖが設けられている。
更に、蓋体２００には、弁体２７を上下動させて弁機構Ｖを開き状態と閉じ状態とに切り換える弁操作具９が、弁体２７を開き状態とする開き操作位置と弁体２７を閉じ状態とする閉じ操作位置とに移動自在な状態で設けられている。
【００３６】
図７及び図８に示すように、弁機構Ｖは、蓋本体部材１５により形成される弁ケース２８と、その弁ケース２８に上下動自在に保持された弁体２７と、その弁体２７を上方側に付勢することにより弁座２９に押し付けるコイルバネ３０等を備えて構成されている。
つまり、図７に示すように、弁体２７を下方側に押し下げる力が作用しない状態では、コイルバネ３０の付勢力により弁体２７が弁座２９に押し付けられる状態に保持されることになり、弁機構Ｖが注ぎ用通路２０を閉じる閉じ状態に保持されることになる。
【００３７】
図６〜図８に示すように、この実施形態では、弁操作具９が、蓋体２００を容器本体１００の開口部に位置させたときに容器本体１００の径方向に沿う長手方向の一端が作用点９ｗとして弁体２７の上方に位置され且つ作用点９ｗとその作用点９ｗとは長手方向で反対側の端部との間の略中央を支点Ｐ２として水平方向（横方向に相当する）の軸心周りに揺動自在に設けられた作用点側てこ部材９２と、その作用点側てこ部材９２の力点に相当する端部に連結され且つその作用点側てこ部材９２の力点に連結された端部とその端部とは長手方向で反対側の端部との間の略中央を支点Ｐ１として水平方向の軸心周りに揺動自在な力点側てこ部材９１とを備えて構成されている。
つまり、図７及び図８に示すように、力点側てこ部材９１における作用点側てこ部材９２に連結される側とは反対側の端部の操作部９ｈが上下移動されることにより、力点側てこ部材９１が上下方向に揺動されると、その上下方向の揺動に連動して、作用点側てこ部材９２が上下方向に揺動するように構成されている。
【００３８】
これら連結状態の作用点側てこ部材９２及び力点側てこ部材９１は、作用点側てこ部材９２における連結されていない方の端部の作用点９ｗが弁体２７の上方に位置し、且つ、力点側てこ部材９１における連結されていない方の端部の操作部９ｈが把手２の上方に位置して、長手方向を注ぎ口３、蒸気口１０及び把手２の並び方向に沿わせた状態で、蓋体２００に設けられている。
又、力点側てこ部材９１及び作用点側てこ部材９２夫々の互いに連結される端部側の部分が二股状に構成されて、力点側てこ部材９１の二股状の部分と作用点側てこ部材９２の二股状の部分とが、蒸気口１０の両側部を囲む状態で連結されている。尚、以下の説明では、作用点側てこ部材９２において支点Ｐ２と力点（力点側てこ部材９１に連結される端部）との間の部分を、支点力点間部分９２ａと称する場合がある。
更に、作用点側てこ部材９２をその力点側てこ部材９１に連結される端部である力点が下方に移動する方向に揺動させる、即ち、力点側てこ部材９１をその力点に相当する操作部９ｈが上方に移動する方向に揺動させるように付勢するバネ部材３１が設けられている。
【００３９】
そして、図８に示すように、バネ部材３１の付勢力に抗して力点側てこ部材９１の把手側の端部の操作部９ｈを押し下げると、その弁機構側の端部が上昇し、それに伴って、その端部に連結された作用点側てこ部材９２の把手側の端部の力点が上昇して、弁機構側の端部の作用点９ｗが下降し、弁体２７がコイルバネ３０の付勢力に抗して押し下げられることになり、弁機構Ｖが注ぎ用通路２０を開く開き状態に切り換えられる。
つまり、作用点側てこ部材９２をその力点側てこ部材９１に連結される端部である力点が上方に移動する方向に揺動させる、即ち、力点側てこ部材９１をその力点に相当する操作部９ｈが下方に移動する方向に揺動させることにより、弁操作具９が閉じ操作位置から開き操作位置へ移動されるように構成されている。
【００４０】
図６及び図９に示すように、一対のフック部材８は、作用点側てこ部材９２の両側に振り分けて配置され、各フック部材８は、作用点側てこ部材９２における二股状の支点力点間部分９２ａの各腕部に対応して、各腕部に対して離れる方向にコイルバネ２４により付勢された状態で各腕部に対する接近離間方向に移動自在に設けられている。
つまり、フック部材８が、作用点側てこ部材９２に近い側を開放位置とし且つ作用点側てこ部材９２から遠い側を保持位置とする状態で、作用点側てこ部材９２における支点Ｐ２と力点（力点側てこ部材９１に連結される側の端部）との並び方向と交差し且つ蓋体２００を容器本体１００の開口部に位置させたときに容器本体１００の径方向に移動自在に設けられている。
但し、作用点側てこ部材９２における支点Ｐ２と力点との間の支点力点間部分９２ａは二股状になっているが、その支点Ｐ２と力点との並び方向は、注ぎ口３と把手２とを結ぶ線に沿う方向である。
【００４１】
図５、図７及び図９に示すように、蓋体２００の蓋カバー１６には、一対のフック部材８夫々を移動操作するための一対のフック操作用開口３２、力点側てこ部材９１の把手側の部分を突出させるためのてこ操作用開口３３、及び、蓋本体部材１５の蒸気口１０を臨ませるための蒸気口用開口３４が形成されている。
各フック部材８は、嵌め込み用辺部８Ａの上面における蓋体２００の径方向外方側の部分、及び、操作用辺部８Ｂの上面における蓋体２００の径方向内方側の部分が蓋カバー１６に覆われた状態で、フック操作用開口３２から外部に臨むように設けられている。又、各フック部材８は、蓋カバー１６の色とは異なる色に着色されている。
又、蓋カバー１６の蒸気口用開口３４には、複数のスリットが形成された蒸気口キャップ３５が嵌め込まれている。
【００４２】
図１１及び図１５に示すように、フック部材８の操作用辺部８Ｂの上面部には、フック部材８が嵌め込み状態にあるときには蓋カバー１６に覆われ且つフック部材８がフリー状態にあるときは露出する位置に位置させて、フリー状態表示シート３７が貼着されている。
又、図１１、図１３及び図１４に示すように、フック部材８の嵌め込み用辺部８Ａの上面部には、フック部材８が嵌め込み状態にあるときには蓋カバー１６に覆われ且つフック部材８が半掛かり状態及び開放状態にあるときは露出する位置に位置させて、半掛かり状態表示シート３８が貼着されている。
【００４３】
図２〜図４に示すように、給電機構７は、外観形状が概略円柱状に構成されて、電源プレートＰの上面の中央にその上面から突出するように設けられている。
給電機構７は、図３及び図４に示すように、中心穴７Ａと、その中心穴７Ａと同心に設けられた環状穴７Ｂとを備え、これら穴７Ａ，７Ｂに夫々設けられる中心電極７ａ、外側電極７ｂと、給電機構７の円柱状外周部位の周方向一部に設けられるアース用電極（図示省略）とを備えて構成されている。
そして、ケトル本体Ｋが電源プレートＰ上に給電姿勢で載置されると、給電機構７がケトル本体Ｋ底部の給電機構嵌め込み用凹部１３内に嵌り込んで、給電機構７と受電機構５の互いの電極が電気的に接続されて給電が可能となる。
【００４４】
次に、本発明による特徴構成について説明する。
本発明では、図１０〜図１３に示すように、フック部材８及び弁操作具９に、弁操作具９が閉じ操作位置でフック部材８の保持位置から開放位置への移動を許容し、且つ、弁操作具９が開き操作位置でフック部材８の保持位置から開放位置への移動を阻止する干渉部８ｉ，９ｉが設けられている。
又、フック部材８及び弁操作具９に、フック部材８が保持位置で弁操作具９の閉じ操作位置から開き操作位置への揺動を許容し、且つ、フック部材８が開放位置で弁操作具９の閉じ操作位置から開き操作位置への揺動を阻止する干渉部８ｉ，９ｉが設けられている。
【００４５】
この実施形態では、作用点側てこ部材９２の支点力点間部分９２ａが、弁操作部側の干渉部９ｉとされ、フック部材側の干渉部８ｉとして、そのフック部材８に、作用点側てこ部材９２の支点力点間部分９２ａに向かって突出する突出部８ｍが備えられている。
そして、フック部材８が保持位置に位置するときは、突出部８ｍが開き操作位置に位置する作用点側てこ部材９２の支点力点間部分９２ａの横側部に近接する状態となり、フック部材８が開放位置に位置するときは、突出部８ｍが閉じ操作位置に位置する作用点側てこ部材９２の支点力点間部分９２ａの上方に近接して被さる状態となる形態で、フック部材８の突出部８ｍと作用点側てこ部材９２の支点力点間部分９２ａとが干渉するように構成されている。
説明を加えると、突出部８ｍは、各フック部材８の操作用辺部８Ｂに、作用点側てこ部材９２の二股状の支点力点間部分９２ａの各腕部に向かって突出する形態で備えられている。
【００４６】
次に、蓋体２００を容器本体１００に装着したり容器本体１００から取り外すときの手順、及び、注ぎ口から湯水を注ぐときの手順について、説明を加える。
蓋体２００を容器本体１００に装着するときは、蓋体２００を蓋体装着用の相対位置関係で容器本体１００の開口部に載置する。すると、図１５の（ｂ）に示すように、一対のフック部材８夫々の前端部８Ａｆにおける後下がり傾斜状の下面８ｓが一対の凹部２５夫々の庇２６における前下がり傾斜状の上面２６ｓと略平行状態となってその上面２６ｓに当接する状態となる。
その状態で、蓋体２００を下方に押し下げると、一対のフック部材８夫々が、一対の凹部２５夫々の庇２６における前下がり傾斜状の上面２６ｓの案内によりコイルバネ２４の付勢力に抗して後退させられることになる。
更に、蓋体２００を下方に押し下げると、図１１に示すように、一対のフック部材８が庇２６を乗り越えて、コイルバネ２４の付勢力により一対の凹部２５夫々に嵌まり込んで、一対のフック部材８夫々が保持位置に保持され、蓋体２００が閉じ位置で容器本体１００に保持される。
【００４７】
このように、一対のフック部材８夫々が保持位置に保持されている状態では、図１０及び図１１に示すように、力点側てこ部材９１の把手側の端部の操作部９ｈを押し下げて、作用点側てこ部材９２をその支点力点間部分９２ａが上がる方向、即ち、作用点９ｗが下がる方向に揺動させることが可能である。
【００４８】
注ぎ口３から湯水を注ぐときは、図２に示すように、親指を力点側てこ部材９１の把手側の端部である操作部９ｈに引っ掛けた状態で把手２を把持して、ケトル本体Ｋを持ち上げる。
そして、把手２を把持した状態で、例えば、親指にて、バネ部材３１の付勢力に抗して力点側てこ部材９１の操作部９ｈを押し下げると、図８、図１０及び図１１（ｃ）に示すように、作用点側てこ部材９２がその作用点９ｗが下がる方向（支点力点間部分９２ａが上がる方向、即ち、開き操作位置の方向）に揺動して、弁体２７がコイルバネ３０の付勢力に抗して押し下げられることになり、弁機構Ｖが開き状態に切り換えられる。
又、力点側てこ部材９１の操作部９ｈを押し下げる力を解放すると、図７及び図１１（ｃ）に示すように、バネ部材３１の付勢力及びコイルバネ３０の付勢力により、作用点側てこ部材９２がその作用点９ｗが上がる方向（支点力点間部分９２ａが下がる方向、即ち、閉じ操作位置の方向）に揺動すると共に、力点側てこ部材９１がその把手側の端部の操作部９ｈが上がる方向（閉じ操作位置の方向）に揺動し、並びに、弁体２７がコイルバネ３０の付勢力により押し上げられて、弁機構Ｖが閉じ状態に切り換えられる。
【００４９】
蓋体２００を容器本体１００から取り外すときは、図１２及び図１３に示すように、力点側てこ部材９１の操作部９ｈが上がっていると共に、作用点側てこ部材９２の作用点９ｗが上がっている状態（支点力点間部分９２ａが下がっている状態）、即ち、力点側てこ部材９１及び作用点側てこ部材９２が閉じ操作位置にある状態で、一対のフック部材８に対して互いに近接させる方向に力を加えると、各フック部材８の突出部８ｍが二股状の支点力点間部分９２ａの各腕部の上方に被さる形態で、一対のフック部材８夫々を開放位置に位置させることができるので、そのまま蓋体２００を持ち上げると、蓋体２００を容器本体１００から取り外すことができる。
【００５０】
図１０及び図１１に示すように、力点側てこ部材９１の操作部９ｈが下がっていると共に、作用点側てこ部材９２の作用点が下がっている状態（支点力点間部分９２ａが上がっている状態）、即ち、力点側てこ部材９１及び作用点側てこ部材９２が開き操作位置にある状態で、一対のフック部材８に対して互いに近接させる方向に力を加えても、各フック部材８の突出部８ｍが作用点側てこ部材９２の支点力点間部分９２ａに当たるので、各フック部材８を開放位置に移動させることができず、蓋体２００を容器本体１００から取り外すことができない。
【００５１】
又、図１２及び図１３に示すように、一対のフック部材８夫々が開放位置に位置している状態では、各フック部材８の突出部８ｍが二股状の支点力点間部分９２ａの各腕部の上方に近接して被さっているので、力点側てこ部材９１の操作部９ｈを下げるよう（即ち、支点力点間部分９２ａが上げるように）に力を加えても、二股状の支点力点間部分９２ａの各腕部が各フック部材８の突出部８ｍに当たるため、力点側てこ部材９１を揺動させることができず、弁機構Ｖを開き状態に切り換えることができない。
【００５２】
〔別実施形態〕
次に別実施形態を説明する。
（Ａ）フック部材８及び弁操作具９夫々に上記の実施形態のように干渉部８ｉ，９ｉを設けるに当たって、フック部材８及び弁操作具９夫々の具体的構成は、上記の実施形態において説明した構成に限定されるものではない。
（Ａ−１）例えば、図１６に示すように、フック部材８は上記の実施形態と同様の構成とし、弁操作具９を上記の実施形態と異なる構成としても良い。尚、図１６の（ａ）は、弁操作具９を示すケトル本体上部の縦断側面図であり、（ｂ）は、フック部材８が保持位置に位置する状態でのケトル本体上部の縦断後面図であり、（ｃ）は、フック部材８が開放位置に位置する状態でのケトル本体上部の縦断後面図である。
この場合、図１６の（ａ）に示すように、弁操作具９を、弁機構Ｖに対して把手側の端部とは反対側の端部を水平方向の軸心周りで揺動自在な支点Ｐ３として、弁機構Ｖの上方を通って把手２の上部にまで延びる１本の弁操作レバー９３により構成しても良い。
この場合、弁操作レバー９３において弁体２７の上部に当接する部分が作用点９ｗとなり、把手２の上方に位置する端部が力点に相当する操作部９ｈとなる。
そして、弁操作レバー９３の把手側の端部の操作部９ｈを押し下げると、弁操作レバー９３が支点Ｐ３を軸心として下方側（開き操作位置）に揺動して、作用点９ｗにより弁体２７がコイルバネ３０の付勢力に抗して押し下げられることになり、弁機構Ｖが開き状態に切り換えられる。図示を省略するが、弁操作レバー９３をその操作部９ｈが上方に移動する方向、即ち、閉じ操作位置へ揺動するように付勢するバネ部材が設けられている。
つまり、弁操作レバー９３が、その把手側の端部の操作部９ｈが上側に位置する閉じ操作位置と下側に位置する開き操作位置との間で揺動自在に設けられている。
【００５３】
図１６の（ｂ）、（ｃ）に示すように、弁操作レバー９３における作用点９ｗと力点に相当する操作部９ｈとの間の作用点力点間部分９３ａが、弁操作部側の干渉部９ｉとされ、フック部材側の干渉部８ｉとして、そのフック部材８に、支点力点間部分９２ａ側に向かって突出する突出部８ｎが備えられている。
そして、図１６の（ｂ）に示すように、フック部材８が保持位置に位置するときは、突出部８ｎが開き操作位置に位置する弁操作レバー９３の作用点力点間部分９３ａの横側部に隣接する状態となり、図１６の（ｃ）に示すように、フック部材８が開放位置に位置するときは、突出部８ｎが閉じ操作位置に位置する弁操作レバー９３の作用点力点間部分９３ａの下方に近接して位置する状態となる形態で、フック部材８の突出部８ｎと弁操作レバー９３の作用点力点間部分９３ａとが干渉するように構成されている。
【００５４】
つまり、図１６の（ｂ）に示すように、一対のフック部材８夫々が保持位置に保持されている状態では、弁操作レバー９３の把手側の端部の操作部９ｈを押し下げて、その操作レバー９３を下方に向けて開き操作位置へ揺動させる（作用点力点間部分９３ａを下げる）ことが可能であり、弁機構Ｖを開き状態に切り換えることができる。
又、図１６の（ｃ）に示すように、弁操作レバー９３の操作部９ｈが上がっている状態（作用点力点間部分９３ａが上がっている状態）、即ち、弁操作レバー９３が閉じ操作位置にある状態で、一対のフック部材８に対して互いに近接させる方向に力を加えると、各フック部材８の突出部８ｎが作用点力点間部分９３ａの下方に位置する形態で、一対のフック部材８夫々を開放位置に位置させることができる。
【００５５】
図１６の（ｂ）に示すように、弁操作レバー９３の操作部９ｈが下がっている状態（図１６の（ｂ）で二点鎖線で示すように、作用点力点間部分９３ａが下がっている状態）、即ち、弁操作レバー９３が開き操作位置にある状態では、一対のフック部材８に対して互いに近接させる方向に力を加えても、各フック部材８の突出部８ｎが弁操作レバー９３の作用点力点間部分９３ａに当たるので、各フック部材８を開放位置に移動させることができない。
又、図１６の（ｃ）に示すように、一対のフック部材８夫々が開放位置に位置している状態では、各フック部材８の突出部８ｎが作用点力点間部分９３ａの下方に近接して位置しているので、弁操作レバー９３の操作部９ｈを下げるよう（即ち、作用点力点間部分９３ａが下がるように）に力を加えても、作用点力点間部分９３ａが各フック部材８の突出部８ｎに当たるため、弁操作レバー９３を揺動させることができず、弁機構Ｖを開き状態に切り換えることができない。
【００５６】
（Ａ−２）図１７及び図１８に示すように、フック部材８及び弁操作具９夫々を上記の実施形態と異なる構成としても良い。尚、図１８の（ａ）は、フック部材８が保持位置に位置し且つ弁操作具９が閉じ操作位置に位置する状態でのケトル本体上部の縦断側面図であり、（ｂ）は、フック部材８が開放位置に位置し且つ弁操作具９が閉じ操作位置に位置する状態でのケトル本体上部の縦断後面図である。
この場合、図１７に示すように、弁操作具９を、先端部が弁体２７（図示省略）の上方に当接する状態で蓋体２００の上面に沿って前後進自在に設けた移動部材９４と、その移動部材９４の基端部を押し操作する給湯操作ボタン９５とを備えて構成しても良い。移動部材９４の先端部の下面９４ｓは、先端側ほど上面に近付く先上がり傾斜状に形成され、その移動部材９４を後方側に付勢するコイルバネ４０が設けられている。
そして、給湯操作ボタン９５を押し操作して移動部材９４を前進させると、その移動部材９４の先端部の先上がり状の下面９４ｓにより弁体２７が押し下げられて弁機構Ｖが開き状態に切り換えられる。
つまり、コイルバネ４０の付勢力により移動部材９４が後退させられた位置が閉じ操作位置であり、移動部材９４を前進させることにより、弁操作具９が閉じ操作位置から開き操作位置へ移動されることになる。
【００５７】
又、フック部材８は、移動部材９４の前方にその移動部材９４の移動方向に沿って移動自在に設けたロック部材８１と、そのロック部材８１の移動方向に直交する水平方向の軸心Ｐ４周りに揺動自在で且つその揺動操作によりロック部材８１を移動操作するようにロック部材８１に連結された揺動部材８２を備えて構成しても良い。尚、ロック部材８１を移動部材９４から遠ざかる方向に付勢するコイルバネ４１が設けられている。
そして、図１８の（ａ）に示すように、ロック部材８１がコイルバネ４１の付勢力により移動部材９４から遠ざかる方向に移動されると、そのロック部材８１が容器本体１００に設けられた凹部（図示省略）に嵌まり込んで保持位置に保持されることになり、図１８の（ｂ）に示すように、揺動部材８２によりロック部材８１を移動部材９４に近付く方向に移動させると、ロック部材８１が前記凹部から開放されて開放位置に移動されることになる。
【００５８】
この場合、フック部材側の干渉部８ｉとして、ロック部材８１における移動部材９４の側の端部に、移動部材９４に向かって突出する一対の突出部８１ｍが備えられ、弁操作部側の干渉部９ｉとして、移動部材９４に、ロック部材８１の一対の突出部８１ｍ夫々に対向するように下方に突出する一対の突出部９４ｍが備えられている。
そして、図１８に示すように、ロック部材８１の突出部８１ｍと移動部材９４の突出部９４ｍが以下のように干渉するように構成されている。
即ち、図１８の（ａ）に示すように、ロック部材８１が保持位置に位置し、且つ、移動部材９４が閉じ操作位置に位置するときは、ロック部材８１の開放位置への移動を許容し、且つ、移動部材９４の開き操作位置への移動を許容するように、ロック部材８１の突出部８１ｍと移動部材９４の突出部９４ｍとが離間する。
又、図１８の（ｂ）に示すように、ロック部材８１が保持位置から開放位置に移動されると、そのロック部材８１の突出部８１ｍが閉じ操作位置に位置する移動部材９４の突出部９４ｍに近接して、移動部材９４の開き操作位置への移動を阻止する。
又、図示を省略するが、移動部材９４が閉じ操作位置から開き操作位置に移動されると、その移動部材９４の突出部９４ｍが保持位置に位置するロック部材８１の突出部８１ｍに近接して、ロック部材８１の開放位置への移動を阻止する。
【００５９】
（Ｂ）半掛かり状態表示シート３８は、フック部材８が嵌め込み位置に位置するときと、フック部材８が嵌め込み位置よりも後方に位置するときとで、蓋カバー１６とフック部材８との干渉状態の違いにより、外部に露出される状態と露出されない状態とに切り換わる条件で、蓋カバー１６に設けても良い。
又、フリー状態表示シート３７は、フック部材８が嵌め込み位置に位置するときと、フック部材８が嵌め込み位置よりも前方に位置するときとで、蓋カバー１６とフック部材８との干渉状態の違いにより外部に露出される状態と露出されない状態とに切り換わる条件で、蓋カバー１６に設けても良い。
【００６０】
（Ｃ）上記の実施形態では、力点側てこ部材９１における支点Ｐ１の位置を、長手方向の略中央としたが、長手方向のいずれかの端部に偏った位置にしても良い。又、作用点側てこ部材９２における支点Ｐ２の位置を、長手方向の略中央としたが、長手方向のいずれかの端部に偏った位置にしても良い。
【００６１】
（Ｄ）容器本体１００の形状は、上記の実施形態の如き有底円筒状に限定されるものではなく、有底四角筒状、有底多角筒状等、各種の有底筒状の形状を適用することができる。容器本体１００の形状が有底四角筒状や有底多角筒状の場合、容器本体１００の径方向は、容器本体１００の軸心に直交する方向となる。
【００６２】
（Ｅ）上記の実施形態では、蓋体２００と容器本体１００とを互いに分離した状態に構成したが、蓋体２００を、容器本体１００に水平方向の軸心周りに揺動自在に支持して、蓋体２００を軸心周りに揺動させることにより、容器本体１００の開口部を開閉するように構成しても良い。
この場合、フック部材８と凹部２５の組み合わせは、一組だけ設けても良い。
【００６３】
（Ｆ）本発明を適用可能な水加熱容器の具体例としては、上記の実施形態において例示した電気ケトルに限定されるものではなく、例えば、電気ポットでも良い。
【産業上の利用可能性】
【００６４】
以上説明したように、安全性を向上し得る水加熱容器を提供することができる。
【符号の説明】
【００６５】
１      内容器
３      注ぎ口
８      フック部材
８ｉ    干渉部
８ｍ    突出部（干渉部）
９      弁操作具
９ｉ    干渉部
９ｗ    作用点
２７    弁体
９１    力点側てこ部材
９２    作用点側てこ部材
９２ａ  支点力点間部分（干渉部）
１００  容器本体
２００  蓋体
Ｐ１    支点
Ｐ２    支点
Ｖ      弁機構
【図１】
2011235033.tif 000003
【図２】
2011235033.tif 000004
【図３】
2011235033.tif 000005
【図４】
2011235033.tif 000006
【図５】
2011235033.tif 000007
【図６】
2011235033.tif 000008
【図７】
2011235033.tif 000009
【図８】
2011235033.tif 000010
【図９】
2011235033.tif 000011
【図１０】
2011235033.tif 000012
【図１１】
2011235033.tif 000013
【図１２】
2011235033.tif 000014
【図１３】
2011235033.tif 000015
【図１４】
2011235033.tif 000016
【図１５】
2011235033.tif 000017
【図１６】
2011235033.tif 000018
【図１７】
2011235033.tif 000019
【図１８】
2011235033.tif 000020